【手続補正書】
【提出日】平成24年4月25日(2012.4.25)
【手続補正１】
【補正対象書類名】特許請求の範囲
【補正対象項目名】全文
【補正方法】変更
【補正の内容】
【特許請求の範囲】
【請求項１】
サンプルの細胞または細胞構造を評価する方法であって、
少なくとも１つの周波数レンジに渡る前記サンプルの少なくとも１つの正規化されたインピーダンス応答を求めるステップと、
前記正規化されたインピーダンス応答の少なくとも１つの特性を用いて少なくとも１つの細胞を評価するステップと、
を備え、
前記正規化されたインピーダンスは、測定されたインピーダンスを基準インピーダンスで除したものであることを特徴とする細胞の評価方法。
【請求項２】
前記周波数レンジは、連続もしくは擬似的に連続した周波数レンジまたはスペクトルであることを特徴とする請求項１記載の細胞の評価方法。
【請求項３】
前記周波数レンジは、一連の離間した周波数測定を含むことを特徴とする請求項１または２に記載の細胞の評価方法。
【請求項４】
前記周波数レンジは、０．１Ｈｚから３３ＭＨｚの間にあることを特徴とする請求項１〜３のいずれか１つに記載の細胞の評価方法。
【請求項５】
前記少なくとも１つの細胞は、細菌もしくは他の単細胞生物、および、植物もしくは動物の細胞組織のような植物または動物の細胞、植物もしくは動物の細胞組織あるいは多細胞生物のような構造体のうちの少なくともいずれかであることを特徴とする請求項１〜４のいずれか１つに記載の細胞の評価方法。
【請求項６】
前記基準インピーダンス応答は、少なくとも２つの電極間の電気的経路に実質的に細胞が存在しない状態における前記周波数レンジに渡るシステムのインピーダンス応答を測定することにより求められることを特徴とする請求項１〜５のいずれか１つに記載の細胞の評価方法。
【請求項７】
前記基準インピーダンス応答は、システムの初期インピーダンス応答、または、計算されたインピーダンス応答、見積もられたインピーダンス応答、あるいは、標準インピーダンス応答であることを特徴とする請求項１〜５のいずれか１つに記載の細胞の評価方法。
【請求項８】
前記基準インピーダンス応答は、少なくとも２つの電極間の電気的経路に実質的に細胞が存在しない状態における類似もしくは標準化されたシステム、あるいはその両方の前記少なくとも１つの周波数レンジに渡るインピーダンス応答を測定することにより求められることを特徴とする請求項７記載の細胞の評価方法。
【請求項９】
前記少なくとも１つの周波数レンジに渡る、システムの少なくとも１つの測定されたインピーダンス応答は、少なくとも２つの電極間の電気的経路における少なくとも１つの細胞の導入もしくは成長、あるいはその両方の後に求められることを特徴とする請求項１〜８のいずれか１つに記載の細胞の評価方法。
【請求項１０】
前記正規化されたインピーダンス応答の少なくとも１つの特性は、前記周波数レンジにおける正規化されたインピーダンス応答の少なくとも１つのピークの、周波数、ピークの大きさ、および、ピークの形状の少なくともいずれかであることを特徴とする請求項１〜９のいずれか１つに記載の細胞の評価方法。
【請求項１１】
前記少なくとも１つのピークは、少なくとも１つの細胞または細菌システムの成長段階を測定するために用いられることを特徴とする請求項１０記載の細胞の評価方法。
【請求項１２】
正規化されたシステムの少なくとも１つのピークの変化は、細胞または細菌の成長における変化を区別するために経時的に追跡されることを特徴とする請求項１１記載の細胞の評価方法。
【請求項１３】
周波数に対して正規化されたインピーダンスにおける少なくとも１つのピークは、細胞もしくは細菌のタイプ、または、成長段階、もしくはその両方の特性であり、前記正規化されたインピーダンスは、システムにおける特定の細胞、細菌、細胞組織または分子の副産物の存在を見つけ出すことに用いられることを特徴とする請求項１０〜１２のいずれか１つに記載の細胞の評価方法。
【請求項１４】
前記正規化されたインピーダンス応答を求めるために用いられる少なくとも２つの電極は、培養媒体に浸されることを特徴とする請求項１〜１３のいずれか１つに記載の細胞の評価方法。
【請求項１５】
培養媒体は、少なくとも１つのタイプの細胞の成長を促進するよう構成されることを特徴とする請求項１４記載の細胞の評価方法。
【請求項１６】
システムの前記インピーダンス応答および前記システムの細菌によるインピーダンス応答、前記システムの前記正規化されたインピーダンス応答の少なくともいずれかの測定は、交流インピーダンス技術を用いて行われることを特徴とする請求項１〜１５のいずれか１つに記載の細胞の評価方法。
【請求項１７】
サンプルの細胞または細胞構造を評価するシステムであって、
測定されたインピーダンスを基準インピーダンスで除することにより、前記サンプルからの少なくとも１つの正規化されたインピーダンス応答を、複数の電極を介してある周波数レンジに渡って求めることに適したコントローラに接続された少なくとも２つの電極を備え、前記正規化されたインピーダンス応答の少なくとも１つの特性を用いて、少なくとも１つの細胞または細胞構造を評価することを特徴とする細胞の評価システム。
【請求項１８】
前記コントローラは、交流インピーダンス技術によりインピーダンスを測定するように構成されたことを特徴とする請求項１７記載の細胞の評価システム。
【請求項１９】
前記電極は、成長媒体に浸すことに適していることを特徴とする請求項１７または１８のいずれかに記載の細胞の評価システム。
【請求項２０】
前記電極は、金電極、塩化銀電極または炭素電極であることを特徴とする請求項１７〜１９のいずれか１つに記載の細胞の評価システム。
【請求項２１】
前記電極は、埋め込み装置に装着されたか、もしくは、少なくともその一部であること、あるいは、その両方であることを特徴とする請求項１７〜２０のいずれか１つに記載の細胞の評価システム。
【請求項２２】
前記埋め込み装置は、心臓用ステント、または、金属製の装着ティング(ting)もしくはステントに取り付けられる金属製の心臓弁もしくは生体弁、血管ステント、股関節のような埋め込み型関節の金属表面であることを特徴とする請求項２１記載の細胞の評価システム。
【請求項２３】
前記周波数レンジは、０．００１Ｈｚから３３ＭＨｚの間にあることを特徴とする請求項１７〜２２のいずれか１つに記載の細胞の評価システム。
【請求項２４】
前記正規化されたインピーダンスを測定するために直流電圧または直流電流を用いることを特徴とする請求項１７または１９〜２２のいずれか１つに記載の細胞の評価システム。
【請求項２５】
前記システムは、ある周波数レンジにおいて、基準インピーダンス応答を求めるように構成されたことを特徴とする請求項１７〜２４のいずれか１つに記載の細胞の評価システム。
【請求項２６】
前記少なくとも１つの測定されたインピーダンス応答は、前記インピーダンスの実数部および虚数部の両方、または、前記インピーダンスの実数部のみ、もしくは、虚数部のみを含むことを特徴とする請求項１７〜２３または２５のいずれか１つに記載の細胞の評価システム。
【請求項２７】
前記システムは、前記周波数レンジのそれぞれの周波数における前記システムの少なくとも１つのインピーダンス応答を、対応する周波数における前記システムの前記基準インピーダンス応答で除することにより、前記少なくとも１つの正規化されたインピーダンス応答を求めることに適していることを特徴とする請求項２４または２５に記載の細胞の評価システム。
【請求項２８】
少なくとも１つの電極を備え、請求項１〜１６のいずれか１つに記載の方法もしくは請求項１７〜２７のいずれか１つに記載のシステム、あるいはその両方を使用するのに適した埋め込み型装置。
【請求項２９】
ステントもしくは人工器官あるいは移植用臓器、および、露出した金属表面を持つか、もしくは、金属表面が設けられた埋め込み型医療装置、のうちのいずれか、あるいはその両方であることを特徴とする請求項２８に記載の埋め込み型装置。
【手続補正２】
【補正対象書類名】図面
【補正対象項目名】図２
【補正方法】変更
【補正の内容】
【図２】
2011520118.tif 000001